(57)【要約】【課題】封入液が充填された容器部を有し、当該封入液の攪拌工程を自動化された机上装飾品において、より自由な設計が可能であり、且つ、より簡易な設計で使用者が使用したい時に、常時使用できる机上装飾品を提供する。【解決手段】浮遊体Ｇを含む封入液Ｌが充填されている透明な容器本体２と、前記容器本体２を支持する基台３と、前記封入液Ｌを攪拌するためのモータ付攪拌手段５と、前記モータ４を駆動する太陽電池８とを備え、前記容器本体２は、断面半円状又は断面Ｕ字状に形成され、その底面開口部は、前記基台３の底面当接部６により封鎖され、前記太陽電池８は、前記基台３の底面当接部６に配設される。【選択図】図１
0003157214.tif 000002
【実用新案登録請求の範囲】
【請求項１】
浮遊体を含む封入液が充填されている透明な容器本体と、
前記容器本体を支持する基台と、
前記封入液を攪拌するためのモータ付攪拌手段と、
前記モータを駆動する太陽電池と、を備えることを特徴とする机上装飾品。
【請求項２】
前記容器本体は、断面半円状又は断面Ｕ字状に形成され、その底面開口部は、前記基台の底面当接部により封鎖されていることを特徴とする請求項１記載の机上装飾品。
【請求項３】
前記太陽電池は、前記基台の底面当接部に配設されたことを特徴とする請求項１又は２記載の机上装飾品。
【請求項４】
前記太陽電池は前記基台の裾部に配設されていることを特徴とする請求項１又は２記載の机上装飾品。
【請求項５】
前記太陽電池は前記基台の底面当接部及び裾部に配設されていることを特徴とする請求項１又は２記載の机上装飾品。
【請求項６】
前記モータは少なくともその一部を前記底面当接部から突出させて前記基台に固定されていることを特徴とする請求項１、２、３、４又は５記載の机上装飾品。
【請求項７】
前記モータは、間欠的に駆動することを特徴とする請求項１、２、３、４、５又は６記載の机上装飾品。
【考案の詳細な説明】
【技術分野】
【０００１】
本考案は机上装飾品に関し、より詳細には液体が封入され、当該液体を攪拌するモータ付攪拌手段を有する机上装飾品に関する。
【背景技術】
【０００２】
以前より、スノーグローブ（スノードーム）に代表されるような液体が封入された机上装飾品がある。これらにはその内部に当該液体と共にグリッタや雪様の粉体等（浮遊体）が封入されており、当該装飾品を揺動等することにより浮遊体が当該装置内を舞い、使用者の視覚を楽しませることができる。
【０００３】
しかし、このような机上装飾品は浮遊体等を舞わせるために使用者が自ら当該装飾品を揺動等し、当該装飾品内に封入した液体（封入液）を攪拌する必要がある。又、浮遊体等は一定時間が経過すると底に沈んでしまうため、使用者は使用毎に当該装飾品を揺動しなければならない。
【０００４】
このような机上装飾品を継続的に動作させる手段として、例えば、特許文献１においてグローブ部の下部にあるベース部に電池とそれに接続されるモータ部とを設け、モータ部の軸をグローブ部に貫入させその先端にファンが設けられたスノーグローブが開示されている。
【先行技術文献】
【特許文献】
【０００５】
【特許文献１】アメリカ合衆国特許第７０６５９０８号明細書
【考案の概要】
【考案が解決しようとする課題】
【０００６】
モータの駆動軸のみを前記グローブ部のような封入液が封入された容器部の底部に貫入させるとその部分から封入液が漏れることによるショート等による故障や浮遊体等の影響により、モータの回動が阻害される危険性があり、それら液漏れ等を防止するためには特別な設計が必要となるという問題もあった。又、モータ及び電源（電池等）を格納する比較的大きな筐体も必要となり自由な机上装飾品の設計を阻害するという問題があった。
【０００７】
又、前記のような机上装飾品ではモータの作動に電池を必要とし、その電池の容量は有限であるため、使用者が使用しようとする時、当該電池が既に消耗されていて使用できない可能性があるという問題があった。この問題は新たに発電機構を前記筐体又は外部に搭載することにより解決できるが、前者では当該筐体を大きくする等の必要があり、後者では新たに発電機構を搭載する筐体等を設けなければならなくなり、更に自由な机上装飾品の設計を阻害することになる。
【０００８】
そこで、本考案では上記のような問題を解決し、封入液が充填された容器部を有し、当該封入液の攪拌工程を自動化された机上装飾品において、より自由な設計が可能であり、且つ、より簡易な設計で使用者が使用したい時に、常時使用できる机上装飾品を提供することを目的とする。
【課題を解決するための手段】
【０００９】
本考案は、浮遊体を含む封入液が充填されている透明な容器本体と、前記容器本体を支持する基台と、前記封入液を攪拌するためのモータ付攪拌手段と、前記モータを駆動する太陽電池と、を備えることを特徴とする机上装飾品である。
【００１０】
又、本考案は、前記容器本体は、断面半円状又は断面Ｕ字状に形成され、その底面開口部は、前記基台の底面当接部により封鎖され、前記太陽電池は、前記基台の底面当接部、前記基台の裾部、又は前記両部に配設されたことを特徴とする机上装飾品である。
【００１１】
又、本考案は、前記モータは少なくともその一部を前記底面当接部から突出させて前記基台に固定されていることを特徴とする机上装飾品である。
【００１２】
又、本考案は、前記モータが間欠的に駆動することを特徴とする机上装飾品である。
【考案の効果】
【００１３】
本考案は前記モータを駆動する太陽電池が設けられているので、当該太陽電池に光が供給されている限り、前記モータを駆動させることができる。そのため、従来例の様に、電池交換をする必要はないので維持管理が容易となる。
【００１４】
本考案の太陽電池は前記基台の底面当接部、裾部、又は前記両部に配設されているので、容器本体の形状に制限なく、当該モータ及びその駆動に必要な電源を格納する筐体を必要とせず、当該基台は前記筐体よりも小さく且つ薄く設けることも可能となるので、よって、容器本体の形状及び装飾に関係なく、より自由な机上装飾品の設計が可能となる。
【００１５】
本考案のモータは少なくともその一部を前記底面当接部から突出させて基台に固定されているので、従来例と異なり、モータの回転が阻害される危険性を回避することができる。
【００１６】
又、本考案のモータは間欠的に駆動されるので、前記モータを回転させて封入液を攪拌し、浮遊体を上昇させた後、前記モータの回転を停止させて、前記浮遊体をゆっくりと降下させることができる。そうすると前記浮遊体は恰も雪が舞い散る様にしながら変位するので、美しい情景を発現させることができる。
【図面の簡単な説明】
【００１７】
【図１】本考案における第１の実施の形態を示す机上装飾品の斜視図である。
【図２】本考案における第２の実施の形態を示す机上装飾品の斜視図である。
【考案を実施するための形態】
【００１８】
本考案の第１の実施の形態を図１に基づき説明する。机上装飾品１は、容器本体２と基台３を備えている。前記容器本体２は断面半円状の透明のドームであり、例えば、ガラス、ポリプロピレン、ポリカーボネート、アクリル、ポリスチレン等で形成されている。前記容器本体２の形状は、前記に限定されるわけではなく、例えば、断面U字状に形成してもよい。又、容器本体２は必ずしも全体を透明にする必要はなく、例えば、その一部を不透明にしてもよい。
【００１９】
前記容器本体２には、封入液Ｌで満たされると共に光を透過する浮遊体、例えば、グリッタＧが封入される。前記浮遊体の封入量は、封入液の封入量に比べ極少量であるが、その封入量は必要に応じて適宜調整される。又、前記浮遊体はグリッタＧに限定されるものではなく、例えば、封入液Ｌに溶解しない雪様の粉体等を用いてもよい。
【００２０】
容器本体２内にはモータ４の付いた攪拌手段５が設けられている。前記モータ４は前記基台３の底面当接部６の中央に固定され、その回転軸４ｂの先端には、封入液Ｌを攪拌するための攪拌手段、例えば、スクリュー様の羽根部７が装着される。羽根部７はその形状、枚数等は適宜選択が可能であり、例えば、プロペラ様の羽根等を用いることも可能である。又、モータ４の位置等は本実施の形態に限定されるものではなく、例えば、基台３の底面当接部６の外側に設けることもできる。又、モータ本体４ａは、その全長にわたって容器本体２内に突出しているが、前記モータ本体４ａの一部を基台３に埋設させ、その他部を容器本体２内に突出させてもよい。
【００２１】
基台３の上面部３ａには容器本体２の底面開口部を封鎖する底面当接部６が設けられている。前記上面部３ａと前記底面当接部６は円形状に形成され、両者の直径及び面積は略等しいか、前記上面部３ａの径を前記底面当接部６の径より大きく形成し、その面積を大きくしてもよい。又、基台３の底面当接部６には電源と発電機構とを兼ねる太陽電池８が設けられている。容器本体２及び封入液Ｌ（即ち、太陽電池８までの光路）は太陽電池８が必要とする波長の光（透過光Ｂ）を透過する物質で形成され、例えば、容器本体２は、前述の様に透明性の高い樹脂等の透過材料を用い、又、封入液Ｌは水又は透過光Ｂを吸収しない透明な油等を適宜用いることができる。
【００２２】
モータ６は太陽電池８に図示されない配線により接続される。机上装飾品１を室内又は室外の明所に設置することにより、その透過光Ｂが太陽電池８に照射されることで発電され、モータ４を稼動させるのに必要な電力が確保されるようになっている。制御スイッチをオンにして、モータ４に電力が供給されることにより回転軸４ｂの先端に設けられた羽根部７が回転し、封入液Ｌが攪拌される。そうすると、グリッタＧは旋回しながら変位するので、容器本体２内の情景は変化する。そのため、使用者は前記情景の変化を楽しむことができる。尚、必要量の透過光Ｂの供給を妨げない範囲で人形等の装飾物も適宜、容器本体２内に設けることもできる。又、浮遊体が少量の場合は、透過性を有しないものでも発電に及ぼす影響は少ない。
【００２３】
本考案の第２の実施の形態を図２に基づき説明する。図１と同一の符号はその名称も機能も同一である。第１の実施の形態との相違点は、太陽電池８を基台３の上面部３ａの代わりにその裾部３ｂの表面に設けたことである。
【００２４】
前記太陽電池８を基台３の裾部３ｂに設けたことにより、前記底面当接部６での発電は不要となるので、容器本体２内の装飾に関わることなくモータ４に電力が供給でき、第１の実施の形態よりも自由な容器本体２の設計が可能になる。例えば、容器本体２内に太陽電池８を設けるための底面部（基台３の上面部３ａ）を必要としないため球状の容器本体２を設けることもできる。又、第１の実施の形態では光を透過するグッリタＧを封入していたが本実施の形態では光を透過しない浮遊体等も封入でき、より多くの又は大きい装飾物も封入することができる。
【００２５】
この考案の実施の形態は上記に限定されるものではなく、例えば、次のようにしてもよい。
（１）容器本体２を有色透明及び一部不透明としてもよいし、封入液Ｌに顔料又は染料等で色を付けることも可能となる。
（２）太陽電池８は第１若しくは第２の実施の形態のように基台３の上面部３ａ又はその裾部３ｂの表面に各々独立して設けることもできるが、当然、その両者３ａ、３ｂに同時に設けることもできる。これにより、太陽電池８の面積はより広くなり、更に弱い光量で机上装飾品１を駆動させることができる。
（３）前記モータ４を間欠的に駆動制御する制御回路を設ける。この様にすると前記モータの回転に伴い、封入液Ｌが攪拌され、浮遊体が舞い上げられた後、前記モータの回転を停止させ、前記浮遊体をゆっくりと降下させることができる。そうすると、前記浮遊体は雪が舞い散るようにしながら変位するので容器本体２内の美しい情景を楽しむことができる。
【符号の説明】
【００２６】
１    机上装飾品                  ２    容器本体
３    基台                        ３ａ  上面部
３ｂ  裾部                        ４    モータ
４ａ  モータ本体                  ４ｂ  回転軸  
５    攪拌手段                    ６    底面当接部
７    羽根部                      ８    太陽電池
Ｂ    透過光                      Ｇ    グリッタ  
Ｌ    封入液
【図１】
0003157214.tif 000003
【図２】
0003157214.tif 000004